【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
モニタリングデバイスにおいて、照明器具の出射部から光検出器によって受け取られる放射線の特性を伝える信号を、前記光検出器から受信するステップであって、前記照明器具によって放出される光は前記出射部を通り、前記照明器具から出る、前記ステップと、
前記特性に基づいて、前記出射部の汚れレベルを決定するように前記モニタリングデバイスを使用するステップと、
コンピュータストレージ内の前記照明器具に関連する地理的近接データにアクセスするステップと、
前記照明器具の地理的位置以外の前記照明器具と関連付けられている少なくとも１つの地理的位置、及び／又は、前記照明器具から離れている物体を自動的に特定するように、アクセスされた前記地理的近接データを使用するステップと、
決定された前記汚れレベルの増加に反応して、前記モニタリングデバイスは、前記汚れレベルと、前記少なくとも１つの地理的位置及び／又は前記物体とを示す１つ以上のインジケータの集合を含む制御信号を生成するステップと、
を含み、
前記制御信号は、前記少なくとも１つの地理的位置における物体及び／又は前記物体をクリーニングする処理をトリガする、方法。
【請求項２】
前記物体は、家具若しくは建物、及び／又は、市の基礎構造の一部である、請求項１に記載の方法。
【請求項３】
少なくとも前記出射部も、前記増加に反応してクリーニングされる、請求項１又は２に記載の方法。
【請求項４】
前記照明器具の前記出射部は、前記増加に反応してはクリーニングされず、前記方法は更に、
示される前記汚れレベルの更なる増加に反応して、前記物体を再びクリーニングするステップ、並びに／又は、別の地理的位置における別の物体、及び／若しくは、少なくとも前記照明器具の前記出射部をクリーニングするステップを含む、請求項１又は２に記載の方法。
【請求項５】
前記制御信号は、前記照明器具の前記汚れレベルが、第１の閾値に達したことを前記モニタリングデバイスが検出することに反応して生成され、
前記方法は更に、
前記照明器具の前記汚れレベルが、前記第１の閾値よりも高い第２の閾値に続いて達したことを前記モニタリングデバイスが検出することに反応して、前記モニタリングデバイスが、前記物体を再びクリーニングする別の制御信号を生成するステップを含む、請求項１乃至４の何れか一項に記載の方法。
【請求項６】
アクセスされた前記地理的近接データを使用して、少なくとも、前記照明器具から離れている前記物体が特定され、
前記モニタリングデバイスが、
前記照明器具の前記汚れレベルに基づいて、前記物体の汚れレベルを計算し、
前記照明器具の決定された前記汚れレベルの前記増加に反応して、前記物体の計算された前記汚れレベルを増加させるステップを含み、
前記制御信号は、前記モニタリングデバイスに、前記クリーニングをもたらすように前記物体の増加された前記汚れレベルのインジケータを出力させ、次に、前記照明器具の前記汚れレベルをリセットすることなく、前記物体の計算された前記汚れレベルをリセットさせる、請求項１乃至５の何れか一項に記載の方法。
【請求項７】
前記モニタリングデバイスが、前記コンピュータストレージ内の前記物体に関する情報にアクセスするステップを含み、前記情報は、前記物体の少なくとも１つの特性及び／又は前記物体の環境について記述していて、前記制御信号は、アクセスされた前記情報に基づいて生成される、請求項１乃至６の何れか一項に記載の方法。
【請求項８】
前記信号によって伝えられる前記特性は、前記放射線のパワーレベルである、請求項１乃至７の何れか一項に記載の方法。
【請求項９】
前記モニタリングデバイスから前記汚れレベルのインジケータを出力するステップを含み、前記制御信号は、前記インジケータに、前記汚れレベルの増加を伝えさせる、請求項１乃至８の何れか一項に記載の方法。
【請求項１０】
前記汚れレベルの前記インジケータは、前記出射部の反射率及び／若しくは透過率を含む、並びに／又は、前記汚れレベルの言葉による記述を含む、請求項１乃至９の何れか一項に記載の方法。
【請求項１１】
コンピュータ可読記憶媒体に格納され、実行されると、
照明器具の出射部から光検出器によって受け取られる放射線の特性を伝える信号を、前記光検出器から受信する動作であって、前記照明器具によって放出される光は前記出射部を通り、前記照明器具から出る、前記動作と、
前記特性に基づいて、前記出射部の汚れレベルを決定する動作と、
コンピュータストレージ内の前記照明器具に関連する地理的近接データにアクセスする動作と、
前記照明器具の地理的位置以外の前記照明器具と関連付けられている少なくとも１つの地理的位置、及び／又は、前記照明器具から離れている物体を特定するように、アクセスされた前記地理的近接データを使用する動作と、
前記汚れレベルと、前記少なくとも１つの地理的位置及び／又は前記物体とを示す１つ以上のインジケータの集合を出力する動作と、
を行うように構成されるコードを含む、コンピュータプログラム。
【請求項１２】
前記集合は、表示デバイスを介して地図上に出力される視覚的インジケータであって、前記地図上で前記少なくとも１つの地理的位置を示す視覚的インジケータを含む、請求項１１に記載のコンピュータプログラム。
【請求項１３】
前記少なくとも１つの地理的位置は、１つの地区を構成する複数の地理的位置の集合のうちの１つであり、前記視覚的インジケータは、前記地図上で前記地区を境界付ける、請求項１２に記載のコンピュータプログラム。
【請求項１４】
前記照明器具は、複数の照明器具のうちの１つであり、各照明器具について、対応する信号が対応する光検出器から受信され、前記対応する信号は、前記照明器具の出射部から前記対応する光検出器によって受け取られる放射線の対応する特性を伝え、各照明器具の前記出射部の対応する汚れレベルが決定され、
前記動作は、
前記複数の照明器具のうちの少なくとも別の照明器具について、
前記照明器具の汚れレベルと前記別の照明器具の汚れレベルとの差分を決定し、
前記差分が、第１の量を超えるかどうかを決定し、
前記地理的近接データに基づいて、前記照明器具と前記別の照明器具との地理的分離を決定し、
前記地理的分離が、第２の量を超えるかどうかを決定し、
前記差分が前記第１の量を超えず、前記地理的分離が前記第２の量を超えない場合、前記照明器具及び前記別の照明器具と関連付けられ、前記少なくとも１つの地理的位置を含む地区を決定し、
前記地区を、表示された前記地図上に示すことを含む、請求項１２又は１３に記載のコンピュータプログラム。
【請求項１５】
出力装置と、
照明器具の出射部から光検出器によって受け取られる放射線の特性を伝える信号を、前記光検出器から受信する入力部と、
プロセッサと、
を含み、
前記照明器具によって放出される光は前記出射部を通り、前記照明器具から出て、
前記プロセッサは、
前記特性に基づいて、前記出射部の汚れレベルを決定し、
コンピュータストレージ内の前記照明器具に関連する地理的近接データにアクセスし、
前記照明器具の地理的位置以外の前記照明器具と関連付けられている少なくとも１つの地理的位置、及び／又は、前記照明器具から離れている物体を特定するように、アクセスされた前記地理的近接データを使用し、
前記汚れレベルと、前記少なくとも１つの地理的位置及び／又は前記物体とを示す１つ以上のインジケータの集合を出力する動作を行う、モニタリングデバイス。